(57)【要約】      （修正有）【課題】マルチメディア再生装置の設置角度を回転させる拡張式再生装置を提供する。【解決手段】一面に収納孔部が成型され外側枠体４０１と、収納孔部内に回動可能に配設された回転盤４０２と、外側枠体内に設けられた内蔵再生モジュール４０３とを含む。収納孔部の内周面に電気接続部が設けられ、回転盤４０２に、マルチメディア再生装置が着脱自在に挿入支持されるスロット４０２２が形成され、回転盤の外周縁に収納孔部の電気接続部と摺動接触状態に接続される相対電気接続部が設けられ、回転盤のスロットの一側にマルチメディア再生装置の信号インターフェースと接続される信号インターフェース４０２３が設けられ、信号インターフェース４０２３と相対電気接続部とが電気的に接続され、外側枠体の電気接続部に内蔵再生モジュール４０３が接続されている。【選択図】図１
0003142468.tif 000002
【実用新案登録請求の範囲】
【請求項１】
マルチメディア再生装置を接離可能に接続する拡張式再生装置であって、少なくとも、一面に収納孔部が成型され外側枠体と、前記収納孔部内に回動可能に配設された回転盤と、前記外側枠体内に設けられた内蔵再生モジュールとを含み、
前記収納孔部の内周面に電気接続部が設けられ、
前記回転盤に、前記マルチメディア再生装置が着脱自在に挿入支持されるスロットが形成され、
前記回転盤の外周縁に前記収納孔部の前記電気接続部と摺動接触状態に接続される相対電気接続部が設けられ、
前記回転盤の前記スロットの一側に、前記マルチメディア再生装置の信号インターフェースと接続される信号インターフェースが設けられ、
前記信号インターフェースと前記相対電気接続部とが電気的に接続され、
前記外側枠体の前記電気接続部に前記内蔵再生モジュールが接続されている、
ことを特徴とする拡張式再生装置。
【請求項２】
前記外側枠体の一側に一体成型でスタンド部が設置された、
ことを特徴とする請求項１に記載の拡張式再生装置。
【請求項３】
前記外側枠体の一側にスタンド部が枢設された、
ことを特徴とする請求項１に記載の拡張式再生装置。
【請求項４】
前記回転盤は、前記外側枠体に対して時計回り方向または反時計回り方向に９０度回動可能である、
ことを特徴とする請求項１に記載の拡張式再生装置。
【請求項５】
前記スロットの中央部に支持部が設けられ、前記スロットの両側にそれぞれ弾性片が設けられた、
ことを特徴とする請求項１に記載の拡張式再生装置。
【請求項６】
前記内蔵再生モジュールがスピーカーである、
ことを特徴とする請求項１に記載の拡張式再生装置。
【請求項７】
前記内蔵再生モジュールがディスプレイ装置である、
ことを特徴とする請求項１に記載の拡張式再生装置。
【請求項８】
前記ディスプレイ装置が前記外側枠体の一側に枢設された、
ことを特徴とする請求項１に記載の拡張式再生装置。
【請求項９】
前記内蔵再生モジュールがスピーカーとディスプレイ装置を結合させたものである、
ことを特徴とする請求項１に記載の拡張式再生装置。
【請求項１０】
マルチメディア再生装置を接離可能に接続する拡張式再生装置であって、少なくとも、前面に弧形スライドレールが突設された外側枠体と、前記弧形スライドレール上に摺動可能に設けられたスライド部材と、前記外側枠体内に設けられた内蔵再生モジュールとを含み、
前記弧形スライドレールの内側周壁に電気接続部が設けられ、
前記スライド部材に、前記マルチメディア再生装置が着脱自在に挿入支持される挿入部と、前記弧形スライドレールの前記電気接続部と摺動接触状態に接続される相対電気接続部とが設けられ、前記挿入部に前記マルチメディア再生装置の信号インターフェースと接続される信号インターフェースが設けられ、
前記信号インターフェースと前記相対電気接続部とが電気的に接続され、
前記外側枠体の前記電気接続部に前記内蔵再生モジュールが接続されている、
ことを特徴とする拡張式再生装置。
【請求項１１】
前記外側枠体の一側に一体成型でスタンド部が設置された、
ことを特徴とする請求項１０に記載の拡張式再生装置。
【請求項１２】
前記外側枠体の一側にスタンド部が枢設された、
ことを特徴とする請求項１０に記載の拡張式再生装置。
【請求項１３】
前記スライド部材は、前記外側枠体に対して時計回り方向または反時計回り方向に９０度回動可能である、
ことを特徴とする請求項１０に記載の拡張式再生装置。
【請求項１４】
前記内蔵再生モジュールがスピーカーである、
ことを特徴とする請求項１０に記載の拡張式再生装置。
【請求項１５】
前記内蔵再生モジュールがディスプレイ装置である、
ことを特徴とする請求項１０に記載の拡張式再生装置。
【請求項１６】
前記ディスプレイ装置が前記外側枠体の一側に枢設された、
ことを特徴とする請求項１０に記載の拡張式再生装置。
【請求項１７】
前記内蔵再生モジュールがスピーカーとディスプレイ装置を結合させたものである、
ことを特徴とする請求項１０に記載の拡張式再生装置。
【請求項１８】
前記ディスプレイ装置が前記外側枠体の一側に枢設された、
ことを特徴とする請求項９又は１７に記載の拡張式再生装置。
【考案の詳細な説明】
【技術分野】
【０００１】
本考案は、マルチメディア再生装置の操作角度を回転させることができ、信号接続状態を維持することができる拡張式再生装置に関する。
【背景技術】
【０００２】
映像・音楽電子産業の技術向上に伴い、相対して再生装置も増え続けている。特に、一般に見受けられる携帯用のマルチメディア再生装置は、例えば、ｉｐｏｄ（登録商標）、ｉｐｏｄ  ｎａｎｏ（登録商標）、ｉｐｏｄ  ｔｏｕｃｈ（登録商標）、ｉｐｏｄ  ｖｉｄｅｏ（登録商標）、ｍｐ３プレイヤーまたはｍｐ４プレイヤー等、枚挙にいとまがなく、サウンドファイル（例：ＭＰ３、ＷＭＶまたはＷＭＡサウンドファイル）の再生機能を備えているだけでなく、画像・動画ファイル（スチール画像ファイルおよび動画ビデオファイルを含む）の再生もでき、体積が小さく利便性が向上されているほか、一部マルチメディア再生装置は、さらに録音、撮影、ゲーム等の機能も付加されている。
【０００３】
しかしながら、ほとんどの携帯用のマルチメディア再生装置は、体積が小さいことに制限され、そのサウンドまたはビデオファイルの再生効果には限りがあり、家の中で使用するとき不便であるため、拡張式再生装置を利用してサウンドファイル再生時の音量を向上する必要がある。
【０００４】
図６は従来の拡張式再生装置の使用状態を示す斜視図である。図６に示すように、拡張式再生装置１０はスロット１０１が設けられ、マルチメディア再生装置２０を組み込むことができ、このスロット１０１内に信号インターフェース１０２が設けられ、マルチメディア再生装置２０と信号接続し、各種マルチメディアファイルを伝送することができる。
【考案の開示】
【考案が解決しようとする課題】
【０００５】
現在、一部のマルチメディア再生装置２０はすでに画面の方向を転換する（画面を縦方向から横方向に変える）機能と、タッチ制御モニタとを備えており、マルチメディア再生装置２０の画面の方向を転換した後、その操作角度も変化するため、このような固定角度の拡張式再生装置には適さない。
【０００６】
一部のマルチメディア再生装置が角度の固定された拡張式再生装置上で使用できず、再生時の映像と音声の効果に影響するという問題がある。
【０００７】
そこで、本考案は、これに鑑みてなされたもので、その目的は、マルチメディア再生装置の設置角度を回転させることができる拡張式再生装置を提供することにある。
【課題を解決するための手段】
【０００８】
請求項１に係る拡張式再生装置は、マルチメディア再生装置を接離可能に接続し、より良い映像・サウンド効果を得るためのものであって、少なくとも、一面に収納孔部が成型され外側枠体と、前記収納孔部内に回動可能に配設された回転盤と、前記外側枠体内に設けられた内蔵再生モジュールとを含み、前記収納孔部の内周面に電気接続部が設けられ、前記回転盤に、前記マルチメディア再生装置が着脱自在に挿入支持されるスロットが形成され、前記回転盤の外周縁に前記収納孔部の前記電気接続部と摺動接触状態に接続される相対電気接続部が設けられ、前記回転盤の前記スロットの一側に、前記マルチメディア再生装置の信号インターフェースと接続される信号インターフェースが設けられ、前記信号インターフェースと前記相対電気接続部とが電気的に接続され、前記外側枠体の前記電気接続部に前記内蔵再生モジュールが接続されている、ことを特徴とするものである。
【０００９】
本考案の拡張式再生装置において、内蔵再生モジュールは、一般的なスピーカーまたはディスプレイ装置とすることができる。マルチメディア再生装置と信号接続後、スピーカーまたはディスプレイ装置を介してマルチメディアファイルを再生することができる。内蔵再生モジュールとしてのスピーカーは出力が比較的大きく、且つディスプレイ装置の画面のサイズも元のマルチメディア再生装置のモニタより大きいため、より良い映像とサウンド効果が得られる。
【００１０】
本考案は回転盤が外側枠体の収納孔部内に回動可能に設けられ、回転盤を外側枠体に対して任意の角度に回動させることができ（即ち、外側枠体は動かず、回転盤が回動する）、また、回転盤上に信号インターフェースが設けられ、マルチメディア再生装置と信号接続させることができ、信号インターフェースは相対電気接続部に接続され、相対電気接続部と外側枠体上の電気接続部が接続されると、マルチメディア再生装置と内蔵再生モジュールとが接続され、回転盤を回動させることでマルチメディア再生装置をそれに伴い回動させ、マルチメディア再生装置の操作角度を変えることができるため、操作時の利便性を大幅に向上することができる。
【００１１】
請求項１０に係る拡張式再生装置は、マルチメディア再生装置を接離可能に接続するものであって、少なくとも、前面に弧形スライドレールが突設された外側枠体と、前記弧形スライドレール上に摺動可能に設けられたスライド部材と、前記外側枠体内に設けられた内蔵再生モジュールとを含み、前記弧形スライドレールの内側周壁に電気接続部が設けられ、前記スライド部材に、前記マルチメディア再生装置が着脱自在に挿入支持される挿入部と、前記弧形スライドレールの前記電気接続部と摺動接触状態に接続される相対電気接続部とが設けられ、前記挿入部に前記マルチメディア再生装置の信号インターフェースと接続される信号インターフェースが設けられ、前記信号インターフェースと前記相対電気接続部とが電気的に接続され、前記外側枠体の前記電気接続部に前記内蔵再生モジュールが接続されている、ことを特徴とするものである。
【考案の効果】
【００１２】
本考案の拡張式再生装置によれば、マルチメディア再生装置を回転盤のスロット或いはスライド部材の挿入部に挿入すると、マルチメディア再生装置と拡張式再生装置とを信号接続させることができ、信号インターフェースは相対電気接続部に接続され、相対電気接続部と外側枠体上の電気接続部が接続されるているため、マルチメディア再生装置と内蔵再生モジュールとが接続され、回転盤或いはスライド部材を回動させることでマルチメディア再生装置をそれに伴い回動させることができて、マルチメディア再生装置の操作角度を変えることができるため、操作時の利便性を大幅に向上することができる。
【考案を実施するための最良の形態】
【００１３】
以下、本考案の実施の形態を図面を参照して説明する。図１は本考案の第１実施形態に係る拡張式再生装置の使用状態を示す斜視図である。図１において、マルチメディア再生装置３０は、ｉｐｏｄ  ｔｏｕｃｈ（登録商標）を一例としている。マルチメディア再生装置３０は、主にタッチ制御モニタ３０１と信号インターフェース３０２とを備え、イヤホンを利用して信号インターフェース３０２と接続してサウンドファイルを再生することができ、タッチ制御モニタ３０１は画像・動画ファイルの再生や、再生を操作するときの各項目選択の用途に用いることができる。
【００１４】
マルチメディア再生装置３０を本考案の拡張式再生装置４０の回転盤４０２のスロット４０２２に組み込むと、その正面に設置された信号インターフェース４０２３とマルチメディア再生装置３０の信号インターフェース３０２とが接続され、信号インターフェース３０２、４０２３の接続を介してマルチメディア再生装置３０の再生機能を拡張式再生装置４０の内蔵再生モジュール４０３で再生し、より良い映像・サウンド効果を得ることができる。
【００１５】
本考案の拡張式再生装置４０の主な特徴は、マルチメディア再生装置３０を回動させ、マルチメディア再生装置３０の操作角度を変えて調整して使用することができ、これら画面の方向転換機能を備えたマルチメディア再生装置３０に使用することができる。
【００１６】
図２は図１の拡張式再生装置４０を分解して示す斜視図である。図２に示すように、拡張式再生装置４０は、少なくとも、外側枠体４０１、回転盤４０２、内蔵再生モジュール４０３を含む。外側枠体４０１は正面中央に収納孔部４０１１が設けられると共に、収納孔部４０１１の内側周面に電気接続部４０１２が設けられている。また、外側枠体４０１の一側に、一体成型或いは枢設によりスタンド部４０１３が設けられている。なお、スタンド部４０１３が枢設されている場合、普段の使用しないときに回動させて外側枠体４０１に対応して設けられた凹槽（図示せず）内に収容し、使用時には回動させて出し、外側枠体４０１を立てて置くことができる。
【００１７】
図３は回転盤の斜視図である。回転盤４０２は、収納孔部４０１１内に回動可能に設置され、回転盤４０２は外側枠体４０１に対して時計回り方向または反時計回り方向に９０度回動させることができ、全部で１８０度の範囲で角度調整が可能である。回転盤４０２の外周縁には、収納孔部４０１１の電気接続部４０１２と摺動接触状態に接続される相対電気接続部４０２１が設けられ、図３の回転盤４０２の別の角度から示す斜視図に示すように、相対電気接続部４０２１は、回転盤４０２の外周縁から回転盤４０２の背面を覆うように設けられる。また、回転盤４０２の正面には、マルチメディア再生装置３０が着脱自在に挿入支持されるスロット４０２２が形成され、マルチメディア再生装置３０を挿入して設置することができるようになっている。
【００１８】
マルチメディア再生装置３０の挿入方向に向いたスロット４０２２の一側には、信号インターフェース４０２３が設けられ、相対電気接続部４０２１と信号インターフェース４０２３とが電気的に接続されている。スロット４０２２の中央部には支持部４０２４が突設され、マルチメディア再生装置３０を挿入した後、便利に再度取り出すことができる。マルチメディア再生装置３０の挿入方向に沿うスロット４０２２の両側には、弾性片４０２５がそれぞれ設けられ、マルチメディア再生装置３０を挟持する。
【００１９】
内蔵再生モジュール４０３は、外側枠体４０１内に設置されると共に、外側枠体４０１の電気接続部４０１２に接続されている。なお、第１実施形態の拡張式再生装置４０では、内蔵再生モジュール４０３をスピーカーにより構成してある。使用時には、マルチメディア再生装置３０を回転盤４０２のスロット４０２２内に挿入すると、マルチメディア再生装置３０の信号インターフェース３０２と回転盤４０２上の信号インターフェース４０２３とが電気的に接続され、かつ回転盤４０２の相対電気接続部４０２１と外側枠体４０１の電気接続部４０１２とが摺動接触状態に接続される。
【００２０】
これにより、マルチメディア再生装置３０のマルチメディアファイルが伝送され、内蔵再生モジュール４０３で再生を行うことができる。但し、マルチメディア再生装置３０のタッチ制御モニタ３０１を介して操作を行う必要があるため、マルチメディア再生装置３０の画面の方向が変わるとき、本考案は回転盤４０２を対応する角度に迅速に回動させ、使用者が必要に応じてマルチメディア再生装置３０を操作する角度を変えることができる。  
図４は、本考案の第２実施形態に係る拡張式再生装置の斜視図である。図４に示すように、第２実施形態に係る拡張式再生装置にあっては、内蔵再生モジュール４０３は、スピーカー４０３１にディスプレイ装置４０３２を結合させたもので構成してある。この場合に、ディスプレイ装置４０３２を外側枠体４０１の一側に展開自在に枢設し、普段の使用しないときは、ディスプレイ装置４０３２を畳んで外側枠体４０１の一面に重合することができる。マルチメディア再生装置３０と接続した後、マルチメディアファイル（サウンドファイル及び画像・動画ファイル）を再生することができる。
【００２１】
図５は本考案の本考案の第３実施形態に係る拡張式再生装置の斜視図である。図５に示すように、拡張式再生装置４０はもう一つの実施方式があり、マルチメディア再生装置３０を回動させることができる。
【００２２】
第３実施形態は、少なくとも外側枠体４０１、内蔵再生モジュール４０３、スライド部材４０４を含み、外側枠体４０１の正面中央部に上方が開放された弧形スライドレール４０１４が前方に突出して形成され、弧形スライドレール４０１４の内側周壁に電気接続部４０１２が設けられ、外側枠体４０１の裏面にスタンド部４０１３が一体成型で設けられる。
【００２３】
スライド部材４０４は、その内部がマルチメディア再生装置が着脱自在に挿入支持される挿入部４０４３に形成され、挿入部４０４３には、マルチメディア再生装置３０の信号インターフェース３０２と接続される信号インターフェース４０４２が設けられている。スライド部材４０４は、弧形スライドレール４０１４上に摺動可能に設けられ、スライド部材４０４は外側枠体４０１に対して時計回り方向または反時計回り方向に９０度回動させることができ、全部で１８０度の範囲で回動角度が調整可能となっている。さらに、スライド部材４０４はその下面に弧形スライドレール４０１４の電気接続部４０１２と摺動接触状態に接続される相対電気接続部４０４１が設けられている。また、信号インターフェース４０４２と相対電気接続部４０４１とが電気的に接続されている。
【００２４】
内蔵再生モジュール４０３は、外側枠体４０１内に組み込まれると共に、外側枠体４０１の電気接続部４０１２に接続されている。また、なお、第３実施形態の拡張式再生装置４０では、内蔵再生モジュール４０３をスピーカーにより構成してある。これにより、マルチメディア再生装置３０をスライド部材４０４に取り付けたとき、マルチメディア再生装置３０と拡張式再生装置４０との間を接続し、マルチメディア再生装置３０中のサウンドファイルを再生することができる。
【００２５】
上述のように、本考案の拡張式再生装置は回転盤を外側枠体の収容部内に、或いはスライド部材を弧形スライドレールに相対させて設置することで、マルチメディア再生装置の設置角度を回動させ、マルチメディア再生装置の操作性を向上することができる。
【図面の簡単な説明】
【００２６】
【図１】本考案の第１実施形態に係る拡張式再生装置の使用状態を示す斜視図である。
【図２】本考案の第１実施形態に係る拡張式再生装置を分解して示す斜視図である。
【図３】回転盤の斜視図である。
【図４】本考案の第２実施形態に係る拡張式再生装置の斜視図である。
【図５】本考案の第３実施形態に係る拡張式再生装置の斜視図である。
【図６】従来の拡張式再生装置の使用状態を示す斜視図である。
【符号の説明】
【００２７】
１０  拡張式再生装置（従来）
１０１  スロット
１０２  信号インターフェース
２０  マルチメディア再生装置
３０  マルチメディア再生装置
３０１  タッチ制御モニタ
３０２  信号インターフェース
４０  拡張式再生装置
４０１  外側枠体
４０１１  収納孔部
４０１２  電気接続部
４０１３  スタンド部
４０１４  弧形スライドレール
４０２  回転盤
４０２１  相対電気接続部
４０２２  スロット
４０２３  信号インターフェース
４０２４  支持部
４０２５  弾性片
４０３  内蔵再生モジュール
４０３１  スピーカー
４０３２  ディスプレイ装置
４０４  スライド部材
４０４１  相対電気接続部
４０４２  信号インターフェース
４０４３  挿入部
【図１】
0003142468.tif 000003
【図２】
0003142468.tif 000004
【図３】
0003142468.tif 000005
【図４】
0003142468.tif 000006
【図５】
0003142468.tif 000007
【図６】
0003142468.tif 000008